(57)【特許請求の範囲】
【請求項１】
人形体の頭部の少なくとも一部を構成する構造体であって、
口部を形成する上顎部および下顎部を備え、
前記下顎部は、前記上顎部から離間することにより前記口部が閉口状態から開口状態となるように前記頭部の本体に保持され、
前記下顎部は、前記上顎部より後方にて上方に延出してなる係止部を含んでおり、
前記上顎部は、前記口部を前記閉口状態から前記開口状態とした場合に前記係止部が前記上顎部の後方部に上方から係止して前記上顎部の後方部を降下させるように前記頭部の本体に保持されており、
前記構造体は、前記上顎部が前記頭部の本体に対して回動可能となるように前記上顎部の前方部を保持する第１保持部を更に備える
構造体。
【請求項２】
前記第１保持部による前記上顎部の回動領域を規制するように前記上顎部の前方部を保持する第２保持部を更に備える
請求項１記載の構造体。
【請求項３】
前記下顎部に対して固定された舌部を更に備え、
前記係止部は、前記舌部の後方部に設けられている
請求項１または請求項２記載の構造体。
【請求項４】
前記口部が前記閉口状態の場合には前記上顎部と前記舌部とが当接し、
前記口部が前記開口状態の場合には前記係止部が前記上顎部の後方部に係止する
請求項３記載の構造体。
【請求項５】
前記上顎部は、前記口部を前記閉口状態から前記開口状態とした場合に前記頭部の本体から部分的に露出する
請求項１から請求項４の何れか１項記載の構造体。
【請求項６】
前記人形体は、四足歩行の動物を模した模型玩具である
請求項１から請求項５の何れか１項記載の構造体。
【発明の詳細な説明】
【技術分野】
【０００１】
本発明は、人形体の構造体に関する。
【背景技術】
【０００２】
特許文献１には、人形体の各部位に設けられた関節構造について記載されている。ユーザは、このような人形体を所望の姿勢にすることができる。
【先行技術文献】
【特許文献】
【０００３】
【特許文献１】特開２０１０−１７２６４号公報
【発明の概要】
【発明が解決しようとする課題】
【０００４】
人形体のなかには、より自然な変形を実現可能に構成されることが求められるものもある。
【０００５】
本発明は、より自然な変形を実現可能な人形体を構成するのに有利な技術を提供することを例示的目的とする。
【課題を解決するための手段】
【０００６】
本発明の一つの側面は、人形体の頭部の少なくとも一部を構成する構造体に係り、人形体の頭部の少なくとも一部を構成する構造体であって、
口部を形成する上顎部および下顎部を備え、
前記下顎部は、前記上顎部から離間することにより前記口部が閉口状態から開口状態となるように前記頭部の本体に保持され、
前記下顎部は、前記上顎部より後方にて上方に延出してなる係止部を含んでおり、
前記上顎部は、前記口部を前記閉口状態から前記開口状態とした場合に前記係止部が前記上顎部の後方部に上方から係止して前記上顎部の後方部を降下させるように前記頭部の本体に保持されており、前記構造体は、前記上顎部が前記頭部の本体に対して回動可能となるように前記上顎部の前方部を保持する第１保持部を更に備える。
【発明の効果】
【０００７】
本発明によれば、より自然な変形を実現可能な人形体を構成可能となる。
【図面の簡単な説明】
【０００８】
【図１Ａ】人形体の頭部パーツの閉口状態についての全体斜視図。
【図１Ｂ】頭部パーツの開口状態についての全体斜視図。
【図２】頭部パーツの分解図。
【図３Ａ】脚部パーツの閉口状態についての断面模式図。
【図３Ｂ】脚部パーツの開口状態についての断面模式図。
【発明を実施するための形態】
【０００９】
以下、添付図面を参照して実施形態を詳しく説明する。尚、以下の実施形態は特許請求の範囲に係る発明を限定するものでなく、また実施形態で説明されている特徴の組み合わせの全てが発明に必須のものとは限らない。実施形態で説明されている複数の特徴のうち二つ以上の特徴が任意に組み合わされてもよい。また、同一若しくは同様の構成には同一の参照番号を付し、重複した説明は省略する。
【００１０】
図１Ａ及び図１Ｂは、実施形態に係る人形体１の頭部パーツ２の全体斜視図を示す。本実施形態では、人形体１は、四足歩行の動物（例えば犬）を模した模型玩具とするが、例えば、二足歩行の動物（例えばヒト）等を模したものであってもよい。
【００１１】
尚、本明細書においては、各部位の位置関係を説明するのに際して、前（前方）、後（後方）、左（左側方）、右（右側方）、上（上方）、下（下方）、内（内方）、外（外方）等と記載する場合があるが、これらの表現は人形体１を基準とした相対的なものである。例えば、前は人形体１正面側に対応し、後は人形体１背面側に対応する。
【００１２】
また、本明細書では、人形体１の個々の構成要素を「パーツ」と表現するが、パーツの概念には、ユーザが分解可能な最小単位のものの他、それらを２以上組み合わせて成るものをも指す。よって、以下の説明における「パーツ」という表現は、「部品（component, piece）」、「部材（member）」、「構造体（structure）」、「組立体（assembly）」等に置換されてもよいし、或いは省略されてもよい。例えば、頭部パーツ２は、頭部部品、頭部部材、頭部構造体、頭部組立体等と表現されてもよいし、或いは単に頭部と表現されてもよい。後述の他のパーツについても同様とする。
【００１３】
頭部パーツ２は、上顎部パーツ２０１および下顎部パーツ２０２を備える。詳細については後述とするが、上顎部パーツ２０１および下顎部パーツ２０２は頭部パーツ２本体に保持される。下顎部パーツ２０２は、頭部パーツ２本体に対して回動可能に保持され、上顎部パーツ２０１および下顎部パーツ２０２は、相互に近接した状態では口部の閉口状態を形成し（図１Ａ参照）、また、相互に離間した状態では口部の開口状態を形成する（図１Ｂ参照）。
【００１４】
図２は、頭部パーツ２の分解斜視図である。頭部パーツ２は、上顎部パーツ２０１および下顎部パーツ２０２の他、パーツ２０３〜２１１を更に備える。頭部パーツ２は、これらパーツ２０１〜２１１が直接的／間接的に相互に接続されることにより、及び、それらのうちの互いに隣り合う２つが固定的に又は回動（或いは揺動）可能に相互に接続されることにより、構成されうる。理解の容易化のため、図中には、これらパーツ間の接続関係を破線で示す。
【００１５】
尚、パーツ間の接続の概念には、一方のパーツを他方のパーツに対して取り付けること、連結すること、固定すること等、多様な接続態様が含まれうる。理解の容易化のため、本明細書では実施態様に則した表現が用いられるものとするが、本発明は、その表現に厳密に限定されるものではない（該表現は同様の表現に置換え可能とする。）。他の表現についても同様とする。
【００１６】
パーツ２０３は、頭部パーツ２の左側部を形成する（左側頭部パーツと称されてもよい。）。パーツ２０４は、頭部パーツ２の右側部を形成する（右側頭部パーツと称されてもよい。）。これらパーツ２０３及び２０４は相互に連結される。詳細については後述とするが、上顎部パーツ２０１は、これらパーツ２０３及び２０４の下方部において保持される。
【００１７】
パーツ２０５は、頭部パーツ２の上側前方部を形成する（前頭部パーツと称されてもよい。）。パーツ２０６は、前頭部パーツ２０５の前端部に取り付けられ、鼻部を形成する（鼻部パーツと称されてもよい。）。これらパーツ２０５〜２０６は、上記相互に連結される左側頭部パーツ２０３及び右側頭部パーツ２０４に保持ないし挟持される。
【００１８】
パーツ２０７は、前頭部パーツ２０５の上部左側に取り付けられ、一方の耳部を形成する（左耳部パーツと称されてもよい。）。パーツ２０８は、前頭部パーツ２０５の上部右側に取り付けられ、他方の耳部を形成する（右耳部パーツと称されてもよい。）。
【００１９】
パーツ２０９及び２１０は、相互に連結されることにより下顎部パーツ２０２を回動可能に下顎部パーツ２０２の後方部を支持する（何れも支持パーツと称されてもよい。）。これらパーツ２０９及び２１０は、前頭部パーツ２０５に取り付けられると共に、上記相互に連結される左側頭部パーツ２０３及び右側頭部パーツ２０４に保持ないし挟持される。
【００２０】
また、パーツ２１１は、舌部を形成し、下顎部パーツ２０２に対して固定される（舌部パーツと称されてもよい。）。
【００２１】
本実施形態においては、パーツ２０３〜２１０が頭部パーツ２本体を形成しており、この頭部パーツ２本体に対して、口部を形成する上顎部パーツ２０１および下顎部パーツ２０２が保持されることとなる。
【００２２】
尚、頭部パーツ２の組立てに際して、パーツ２０９及び２１０はパーツ２０３及び２０４により挟持される形となるが、このことは、パーツ２０９及び２１０が前頭部パーツ２０５に取り付けられる前に行われればよい。即ち、パーツ２０１〜２０４及びパーツ２０９〜２１１は、一体に前頭部パーツ２０５に対して取り付けられればよい。
【００２３】
尚、パーツ２０１〜２１１には、本実施形態ではポリスチレン等の樹脂が用いられるものとするが、木材、金属等、所望の強度を有する他の材料が用いられてもよい。
【００２４】
図３Ａは、閉口状態における頭部パーツ２の断面模式図である。図３Ｂは、開口状態における頭部パーツ２の断面模式図である。構造の理解の容易化のため、図中においては、頭部パーツ２本体、上顎部パーツ２０１、下顎部パーツ２０２および下部パーツ２１１の外形については破線で示され、後述の軸部Ｐ１及びＰ２並びに保持部Ｈ１及びＨ２については実線で示される。
【００２５】
図２、図３Ａ及び図３Ｂに示されるように、上顎部パーツ２０１の前方部には、第１軸部Ｐ１と、その後方に位置する第２軸部Ｐ２とが設けられる。軸部Ｐ１及びＰ２は、左右方向に延出するように、それぞれ左右一対設けられる。
【００２６】
図３Ａ及び図３Ｂに示されるように、パーツ２０３（及び２０４）には第１保持部Ｈ１が設けられる。保持部Ｈ１は、本実施形態では、軸部Ｐ１を嵌合により保持する円形状の開口部であり、上顎部パーツ２０１が頭部パーツ２本体に対して回動可能となるように上顎部パーツ２０１の軸部Ｐ１を保持する。
【００２７】
また、図３Ａ及び図３Ｂに示されるように、パーツ２０３（及び２０４）には第２保持部Ｈ２が設けられる。保持部Ｈ２は、軸部Ｐ２を摺動可能に保持する長孔形状の開口部である。これにより、保持部Ｈ２は、保持部Ｈ１による上顎部パーツ２０１の回動領域（或いは可動範囲）を規制可能とする。
【００２８】
図３Ａ及び図３Ｂから分かるように、本実施形態では、軸部Ｐ２は軸部Ｐ１後方に位置しており（保持部Ｈ２は保持部Ｈ１後方に位置しており）、これにより、上顎部パーツ２０１の回動を適切に実現すると共に、その回動領域を適切に規制可能とする。
【００２９】
舌部パーツ２１１の後方部には、上顎部パーツ２０１の後方部に係止可能な係止部Ｅ１が設けられる。前述のとおり、本実施形態においては、舌部パーツ２１１は下顎部パーツ２０２に対して固定されている。そのため、図３Ａ及び図３Ｂから分かるように、口部が閉口状態から開口状態となるように下顎部パーツ２０２を回動させた場合、係止部Ｅ１は上顎部パーツ２０１の後方部に係止する。これにより、下顎部パーツ２０２の回動に伴って上顎部パーツ２０１の後方部は下方に移動する。一方、口部が開口状態から閉口状態となるようにした下顎部パーツ２０２を回動させた場合、上顎部パーツ２０１は舌部パーツ２１１により下方から押圧されることとなり、上顎部パーツ２０１の後方部は上方に移動する。
【００３０】
以上のような構造により、上顎部パーツ２０１は、下顎部パーツ２０２の回動に伴って部分的に上下動する。本実施形態では、上顎部パーツ２０１の上下動は舌部パーツ２１１により実現される態様を例示したが、舌部パーツ２１１は下顎部パーツ２０２に対して固定されるため、下顎部パーツ２０２と舌部パーツ２１１とは他の実施形態として一体成形されていてもよい。或いは、舌部パーツ２１１を省略して、舌部パーツ２１１の機能を下顎部パーツ２０２に兼ねさせてもよい。
【００３１】
また、下顎部パーツ２０２の回動に伴って上顎部パーツ２０１が部分的に上下動する上記構造は、本実施形態に限られるものではなく、他の構造が採用されてもよい。例えば、本実施形態においては、保持部Ｈ２を長孔形状の開口部としたが、保持部Ｈ２を円形状の開口部とし（保持部Ｈ１同様）、上顎部パーツ２０１を可撓性の材料（例えばゴム）で構成してもよい。このような構造においても、上顎部パーツ２０１は、下顎部パーツ２０２の回動に伴って部分的に上下動することとなる。
【００３２】
以上、本実施形態によれば、上顎部パーツ２０１は、口部を閉口状態から開口状態とした場合に、上顎部パーツ２０１の後方部が降下するように頭部パーツ２本体に保持される。このような構造によれば、口部を閉口状態から開口状態とした場合に顎が外れているような違和感が解消され、人形体１における自然な変形を適切に実現可能となる。
【００３３】
発明は上記の実施形態に制限されるものではなく、発明の要旨の範囲内で、種々の変形・変更が可能である。
【符号の説明】
【００３４】
１：人形体、２：頭部パーツ、２０１：上顎部パーツ、２０２：下顎部パーツ。
【図１Ａ】
0006980820.tif 000002
【図１Ｂ】
0006980820.tif 000003
【図２】
0006980820.tif 000004
【図３Ａ】
0006980820.tif 000005
【図３Ｂ】
0006980820.tif 000006